(57)【要約】【課題】筺体間のユニット接続体の配線スペースを確保し、しかも剛性の高い二つ折れ携帯電話機の筺体を提供する。【解決手段】基板等の電子部品２ａを収容し、端部にヒンジ部４を有する第２の筺体２と、同じく電子部品１ａを収容し、端部の手前にヒンジ部４を有する第１の筺体１を、ヒンジ部４の回転可動部で結合した二つ折れ携帯電話機であって、第１の筐体１は、ヒンジ部４含む上側本体ケース１１とヒンジ部４を越えるように上側本体ケース１１に装着された上側付加ケース１２で構成され、上側本体ケース１１に設けられた、側断面がほぼ半円形をなすヒンジ部カバー１１ａの先端が付加ケース１２に掛け止めにより固定されている。【選択図】        図２
2004311596.tif 000002
【特許請求の範囲】
【請求項１】
基板等の電子部品を収容し、端部にヒンジ部を有する第２の筺体と、同じく電子部品を収容し、端部の手前にヒンジ部を有する第１の筺体を、上記ヒンジ部で結合した二つ折れ携帯電話機であって、上記第１の筐体は、上記ヒンジ部をはさんで本体ケースとこの本体ケースに装着された付加ケースで構成し、上記本体ケースに設けられた、側断面がほぼ半円形をなすヒンジ部カバーの先端を上記付加ケースに掛け止めにより固定したことを特徴とする二つ折れ携帯電話機。
【請求項２】
上記ヒンジ部カバーは、上記電子部品を電気的に接続するユニット接続体を覆う位置に設けられていることを特徴とする請求項１に記載の二つ折れ携帯電話機。
【請求項３】
上記付加ケースは、第２の筺体の上側本体ケースに付加されていることを特徴とする請求項１または請求項２に記載の二つ折れ携帯電話機。
【請求項４】
上記付加ケースは、第２のケースの上側本体ケースと下側本体ケースにまたがって付加されていることを特徴とする請求項１または請求項２に記載の二つ折れ携帯電話機。
【請求項５】
上記付加ケースには、上記第２の筺体を開いたとき、第２の筺体の回動を止める当て面が回動軸方向の両側に設けられていることを特徴とする請求項１〜請求項４のいずれか一項に記載の二つ折れ携帯電話機。
【発明の詳細な説明】
【０００１】
【発明の属する技術分野】
この発明は二つ折れ携帯電話機、特にその筺体構造に関するものである。
【０００２】
【従来の技術】
従来のこの種の電話機は、特許文献１に示されているように、電話受話部を備える第１の筺体と送話部を備える第２の筺体とが、ヒンジを軸に相互に回転して折り畳み可能に構成され、電気部品が搭載される基板間をユニット接続体で電気的に接続し、その外側を外観部品にて構成する構造をとる。
【０００３】
【特許文献１】
特開２００２−５１１３１号公報
【０００４】
【発明が解決しようとする課題】
ところで、筐体のヒンジ部を筐体端部の手前に設置する形態の二つ折れ携帯電話機では、ヒンジ部を覆うヒンジ部カバーの部分での強度劣化が問題であった。本発明の二つ折れ携帯電話機は上記の問題を解決しようとするものである。
【０００５】
【課題を解決するための手段】
この発明に係る二つ折れ携帯電話機は、基板等の電子部品を収容し、端部にヒンジ部を有する第２の筺体と、同じく電子部品を収容し、端部の手前にヒンジ部を有する第１の筺体を、上記ヒンジ部で結合した二つ折れ携帯電話機であって、上記第１の筐体は、上記ヒンジ部をはさんで本体ケースとこの本体ケースに装着された付加ケースで構成し、上記本体ケースに設けられた、側断面がほぼ半円形をなすヒンジ部カバーの先端を上記付加ケースに掛け止めにより固定したものである。
【０００６】
【発明の実施の形態】
実施の形態１．
図１はこの発明の実施の形態１に係る二つ折れ携帯電話機を示す斜視図、図２はその分解斜視図である。この二つ折れ携帯電話機は、筐体１と筺体２がヒンジ部４を中心として折りたたみ式に回転可能な筐体構造になっている。この筺体構造において、筐体１内部の基板等からなる電子部品１ａと筐体２内部の基板等からなる電子部品２ａが両電子部品を電気的に接続するユニット接続体３にて接続されている。ヒンジ部４は上記電子部品１ａを取り付けたシャーシと電子部品２ａを取り付けたシャーシのそれぞれの端部に形成され、軸により回転可能に結合されている。
【０００７】
次に、各筺体の構造について説明する。筺体２は電子部品２ａとシャーシの一体品を上側ケース３１と下側ケース４１で上下から覆って収容し、上側ケース３１、電子部品２ａ（シャーシを含む）、及び下側ケース４１の３者をネジ止めにより組み付ける。ヒンジ部４は筺体１の端部に位置して設けられる。
【０００８】
一方、筺体１は、電子部品１ａとシャーシの一体品を収容するもので、これはヒンジ部４までを覆う上側本体ケース１１とヒンジ部４より長手方向に突出する付加上側ケース１２を結合したものからなる上側ケースと、上記上側ケース（本体ケース１１＋付加ケース１２）と合致する寸法の下側ケース２１で上下から覆い、上側本体ケース１１、電子部品１ａ、及び下側ケース２１の３者をネジ止めにより一体に構成する。上側本体ケース１１と上側付加ケース１２とは係合爪や嵌め合うリブにより結合される。筺体１では、ヒンジ部４は筺体２の端部の手前に位置することになり、その様子は図４に示されているとおりである。なお、本明細書において本体ケースとは、第１の筺体において、電子部品の上側、下側のいずれに設けられているかに関わらず、ヒンジ部の反対端からヒンジ部までのケースを、付加ケースとはヒンジ部を越えて本体ケースに付加されるケースを指すものとする。
【０００９】
第１の筺体１の上側本体ケース１１の端部には、ヒンジ部４を両側から覆うヒンジ部隠し１１ｂや、ヒンジ部４、特にユニット接続体３上を覆うヒンジ部カバー１１ａが設けられている。このヒンジ部カバー１１ａは、図３にその側断面を示しているように、上側本体ケース１１から延設された側断面がほぼ半円形をなす状片で、その自由端の先端には掛け止め突出部１１ｃが設けられ、これが付設ケース１２に掛け止めされて固定される。この掛け止め部の構造を図３（ｂ）、（ｃ）に断面で示している。図３（ｂ）は図３（ａ）のＢ−Ｂ線における断面図、図３（ｃ）は図３（ａ）のＡ−Ａ線及びＣ−Ｃ線における断面図である。図に示すように、ヒンジ部カバー１１ａの突出部１１ｃは上側付加ケース１２の端部の下側に入り込み（図３（ｂ））、ヒンジ部カバー１１ａの先端で突出部１１ｃの両側は上側付加ケース１２の端部の上側に当たる（図３（ｃ））ようにして固定される。
【００１０】
この種の携帯電話機の筺体では、ヒンジ部カバー１１ａ部が強度的に弱くなるという問題があった。本実施の形態では、ヒンジ部カバー１１ａの自由端を固定することにより、剛性を高めるものである。筺体１と筺体２の組み立ては、ヒンジ部４を軸により回転可能に連結した後、各ケースを組み付けて行うが、その際、筺体１の上側ケースを上側本体ケース１１と上側付加ケース１２に分けているため、ヒンジ部カバー１１ａの固定を確保する組みつけが容易になる。このように上側本体ケース１１と上側付加ケース１２とを嵌合爪やリブで嵌合することにより、ｘ，ｙ，ｚ軸方向への外力を、上側本体ケース１１および上側付加ケース１２に分散し、嵌合がない場合に比べ外力に強い構成にすることができる。また、ユニット接続体３の通路を確保できる。
【００１１】
実施の形態２．
図５は実施の形態２に係る二つ折れ携帯電話機の筐体構造で、筐体１を、上側本体ケース１１と下側本体ケース２２、さらに、上側本体ケース１１のヒンジ部４を越える部分と下側本体ケース２２のヒンジ部４を越える部分に付設された付加ケース５で形成したものである。これにより、見かけ上ヒンジ部４が筐体１の端部にならない構造にするものである。付加ケース５と上側本体ケース１１及び下側本体ケース２２との結合は、嵌合爪、リブ等により行う。また、ヒンジ部カバー１１ａの固定は実施の形態１と同じである。
【００１２】
上記付加ケース５と上側本体ケース１１及び下側本体ケース２２の構成は、従来技術のヒンジが筐体端部に存在する構成に付加ケース１３付加することで実現できる。また、付加ケース１３はさらに２つ以上のケースに分割することもでき、付加ケース１３の内部に電子機器を内蔵することができる。上側本体ケース１１、下側本体ケース２２と付加ケース１３の嵌合面（接面）に接点や配線を通せる構造にすることで、付加ケース１３内部の部分的仕様変更や、機能増設、及び交換を容易にすることができる。また、簡単な形状の筐体構造の組み合わせにすることができるため、異物の進入を防ぎやすく防水や防塵に効果のある構造がとりやすい。
【００１３】
実施の形態３．
図６〜図８はこの発明の実施の形態３を示すものである。図６は携帯電話機を折りたたんだ状態を示す斜視図（ａ）と側面図、図７は携帯電話機を開いた状態を示す斜視図（ａ）と側面図、図８は携帯電話機を開いた状態の平面図（ａ）とＤ−Ｄ線における断面図（ｂ）である。
【００１４】
この実施の形態は、筺体２を開いたときに、筺体２の回動を止める当て面１２ａを、付加ケース１２の上面に形成したものである。この当て面１２ａの構成は、図８（ｂ）に示すように、ヒンジ軸中心を通る面にできるだけ近い面に構成すると、開いたときの剛性を高くすることができる。また、筐体２を閉じた場合にはこの当て面１２ａを形成した結果として、筐体２に段差面を生じさせるが、この当て面１２ａを図６（ａ）のように、筐体２の中心よりできるだけ外側に設定すると、筐体２の筐体中心部には段差を生じさせないで、この効果を得ることができ、意匠性に優れた形状にすることが可能になる。
【００１５】
【発明の効果】
以上のように、本発明の二つ折れ携帯電話機は、電子機器間の配線および取り付け構造に影響を与えることなく筺体の剛性を高めることができるうえ、組み立ても容易で、さらにデザイン的にも優れた効果をもたらす。
【図面の簡単な説明】
【図１】本発明の実施の形態１に係る二つ折れ携帯電話機を示す斜視図である。
【図２】実施の形態１に係る二つ折れ携帯電話機の分解斜視図である。
【図３】図１のヒンジ周辺の筐体を示す平面図（ａ）及び断面図（ｂ）、（ｃ）である。
【図４】実施の形態１に係る二つ折れ携帯電話機の折畳み状態を示す側面図である。
【図５】本発明の実施の形態２に係る二つ折れ携帯電話機の折畳み状態を示す側面図である。
【図６】本発明の実施の形態３に係る二つ折れ携帯電話機の折畳み状態を示す斜視図（ａ）、及び側面図（ｂ）である。
【図７】実施の形態３に係る二つ折れ携帯電話機の開状態を示す斜視図（ａ）及び側面図（ｂ）である。
【図８】実施の形態３に係る二つ折れ携帯電話機の開状態を示す平面図（ａ）及びＤ−Ｄ線における断面図である。
【符号の説明】
１  第１の筺体、                  １ａ  電子部品、
２  第２の筺体、                  ２ａ  電子部品、
３  ユニット接続体、                ４  ヒンジ部、
１１  上側本体ケース、            １１ａ  ヒンジ部カバー、
１１ｂ  ヒンジ部隠し、              １１ｃ  突出部、
１２  上側付加ケース、            １２ａ  当て面、
１３  付加ケース、                  ２１  下側ケース、
２２  下側本体ケース、              ３１  上側ケース、
４１  下側ケース。
【図１】
2004311596.tif 000003
【図２】
2004311596.tif 000004
【図３】
2004311596.tif 000005
【図４】
2004311596.tif 000006
【図５】
2004311596.tif 000007
【図６】
2004311596.tif 000008
【図７】
2004311596.tif 000009
【図８】
2004311596.tif 000010